【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
複数の図柄が付された複数の可動体と、
前記可動体の一部が視認可能とされた表示領域と、
前記複数の可動体それぞれに対応して設けられた停止操作手段と、
複数の当選役の中から何れかの当選役を決定する抽選を実行する当選役抽選手段と、
前記当選役抽選手段によって当選役が決定されたあとに前記複数の可動体を可動させ、前記停止操作手段が操作されたことに基づいて当該複数の可動体を夫々停止させることにより、当該決定された当選役に基づいた図柄組合せを前記表示領域に表示させる通常停止制御を実行する通常制御手段と、
前記通常制御手段によって前記表示領域に所定の図柄組合せが表示されたときには遊技者に有利な特典を付与する特典付与手段と、
を備え、
前記当選役抽選手段による抽選の結果に基づいて当該抽選とは異なる別抽選を実行する別抽選手段と、
前記特典付与手段によって付与される特典とは異なる新たな特典を付与可能な別特典付与手段と、
前記通常停止制御とは異なる特定の制御で前記可動体を可動及び停止させることにより、当該通常停止制御の実行によって前記表示領域に表示される図柄組合せに関連した特別図柄組合せを前記表示領域に表示させる特別停止制御を実行する特別制御手段と、
前記別抽選手段による別抽選の結果が特定の結果である場合には、前記通常制御手段による前記通常停止制御が実行されたあとに、前記特別制御手段による前記特別停止制御を実行して前記特別図柄組合せを前記表示領域に表示させることで、前記別特典付与手段による前記新たな特典が付与されることを教示する特典付与教示手段と、
を備えることを特徴とする遊技機。
【手続補正２】
【補正対象書類名】明細書
【補正対象項目名】０００１
【補正方法】変更
【補正の内容】
【０００１】
本発明は、パチンコ遊技機、回胴式遊技機等の遊技機に関するものである。
【手続補正３】
【補正対象書類名】明細書
【補正対象項目名】０００２
【補正方法】変更
【補正の内容】
【０００２】
従来から、この種の遊技機は液晶表示装置を備え、遊技の最中に液晶表示装置に様々の演出を表示して遊技者の興趣を高めるようにしていた。
【手続補正４】
【補正対象書類名】明細書
【補正対象項目名】０００３
【補正方法】削除
【補正の内容】
【手続補正５】
【補正対象書類名】明細書
【補正対象項目名】０００５
【補正方法】変更
【補正の内容】
【０００５】
しかしながら、従来の遊技機の演出は、単調なものに留まっていた。
【手続補正６】
【補正対象書類名】明細書
【補正対象項目名】０００６
【補正方法】変更
【補正の内容】
【０００６】
そこで、本発明は、遊技者に格別の興趣感を実現する遊技機の提供を目的とするものである。
【手続補正７】
【補正対象書類名】明細書
【補正対象項目名】０００７
【補正方法】変更
【補正の内容】
【０００７】
前記目的を達成するために、本発明は、複数の図柄が付された複数の可動体と、前記可動体の一部が視認可能とされた表示領域と、前記複数の可動体それぞれに対応して設けられた停止操作手段と、複数の当選役の中から何れかの当選役を決定する抽選を実行する当選役抽選手段と、前記当選役抽選手段によって当選役が決定されたあとに前記複数の可動体を可動させ、前記停止操作手段が操作されたことに基づいて当該複数の可動体を夫々停止させることにより、当該決定された当選役に基づいた図柄組合せを前記表示領域に表示させる通常停止制御を実行する通常制御手段と、前記通常制御手段によって前記表示領域に所定の図柄組合せが表示されたときには遊技者に有利な特典を付与する特典付与手段と、を備え、前記当選役抽選手段による抽選の結果に基づいて当該抽選とは異なる別抽選を実行する別抽選手段と、前記特典付与手段によって付与される特典とは異なる新たな特典を付与可能な別特典付与手段と、前記通常停止制御とは異なる特定の制御で前記可動体を可動及び停止させることにより、当該通常停止制御の実行によって前記表示領域に表示される図柄組合せに関連した特別図柄組合せを前記表示領域に表示させる特別停止制御を実行する特別制御手段と、前記別抽選手段による別抽選の結果が特定の結果である場合には、前記通常制御手段による前記通常停止制御が実行されたあとに、前記特別制御手段による前記特別停止制御を実行して前記特別図柄組合せを前記表示領域に表示させることで、前記別特典付与手段による前記新たな特典が付与されることを教示する特典付与教示手段と、を備える遊技機であることを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００３７
【補正方法】削除
【補正の内容】
【手続補正３８】
【補正対象書類名】明細書
【補正対象項目名】００３８
【補正方法】削除
【補正の内容】
【手続補正３９】
【補正対象書類名】明細書
【補正対象項目名】００３９
【補正方法】削除
【補正の内容】
【手続補正４０】
【補正対象書類名】明細書
【補正対象項目名】００４０
【補正方法】削除
【補正の内容】
【手続補正４１】
【補正対象書類名】明細書
【補正対象項目名】００４１
【補正方法】削除
【補正の内容】
【手続補正４２】
【補正対象書類名】明細書
【補正対象項目名】００４２
【補正方法】削除
【補正の内容】
【手続補正４３】
【補正対象書類名】明細書
【補正対象項目名】００４３
【補正方法】削除
【補正の内容】
【手続補正４４】
【補正対象書類名】明細書
【補正対象項目名】００４４
【補正方法】削除
【補正の内容】
【手続補正４５】
【補正対象書類名】明細書
【補正対象項目名】００４５
【補正方法】削除
【補正の内容】
【手続補正４６】
【補正対象書類名】明細書
【補正対象項目名】００４６
【補正方法】削除
【補正の内容】
【手続補正４７】
【補正対象書類名】明細書
【補正対象項目名】００４７
【補正方法】削除
【補正の内容】
【手続補正４８】
【補正対象書類名】明細書
【補正対象項目名】００４８
【補正方法】削除
【補正の内容】
【手続補正４９】
【補正対象書類名】明細書
【補正対象項目名】００４９
【補正方法】削除
【補正の内容】
【手続補正５０】
【補正対象書類名】明細書
【補正対象項目名】００５０
【補正方法】削除
【補正の内容】
【手続補正５１】
【補正対象書類名】明細書
【補正対象項目名】００５１
【補正方法】削除
【補正の内容】
【手続補正５２】
【補正対象書類名】明細書
【補正対象項目名】００５２
【補正方法】削除
【補正の内容】
【手続補正５３】
【補正対象書類名】明細書
【補正対象項目名】００５３
【補正方法】削除
【補正の内容】
【手続補正５４】
【補正対象書類名】明細書
【補正対象項目名】００５４
【補正方法】削除
【補正の内容】
【手続補正５５】
【補正対象書類名】明細書
【補正対象項目名】００５５
【補正方法】削除
【補正の内容】
【手続補正５６】
【補正対象書類名】明細書
【補正対象項目名】００５６
【補正方法】削除
【補正の内容】
【手続補正５７】
【補正対象書類名】明細書
【補正対象項目名】００５７
【補正方法】削除
【補正の内容】
【手続補正５８】
【補正対象書類名】明細書
【補正対象項目名】００５８
【補正方法】削除
【補正の内容】
【手続補正５９】
【補正対象書類名】明細書
【補正対象項目名】００５９
【補正方法】削除
【補正の内容】
【手続補正６０】
【補正対象書類名】明細書
【補正対象項目名】００６０
【補正方法】削除
【補正の内容】
【手続補正６１】
【補正対象書類名】明細書
【補正対象項目名】００６１
【補正方法】削除
【補正の内容】
【手続補正６２】
【補正対象書類名】明細書
【補正対象項目名】００６２
【補正方法】削除
【補正の内容】
【手続補正６３】
【補正対象書類名】明細書
【補正対象項目名】００６３
【補正方法】削除
【補正の内容】
【手続補正６４】
【補正対象書類名】明細書
【補正対象項目名】００６４
【補正方法】削除
【補正の内容】
【手続補正６５】
【補正対象書類名】明細書
【補正対象項目名】００６５
【補正方法】削除
【補正の内容】
【手続補正６６】
【補正対象書類名】明細書
【補正対象項目名】００６６
【補正方法】変更
【補正の内容】
【００６６】
本発明によれば、遊技者に格別の興趣感を実現する遊技機の提供を達成することができる。
【手続補正６７】
【補正対象書類名】明細書
【補正対象項目名】０７０１
【補正方法】変更
【補正の内容】
【０７０１】
主制御基板４０９は、始動レバー２１０の操作によって、ビックボーナスの成立、レギュラーボーナスの成立、小役の成立、リプレイの成立、ハズレの成立等のための抽選の他、ミッション演出発動抽選を行う。ミッション演出発動抽選は、特定の小役（図６３の当選役のうちの特定の小物）が成立した際に行うようにしてもよい。
【手続補正６８】
【補正対象書類名】明細書
【補正対象項目名】０７０６
【補正方法】変更
【補正の内容】
【０７０６】
次いで、主制御基板４０９は、第１リール乃至第３リールの組み合わせが特定配列に対応するものであるか否かを判定する（Ｓ８００８）。この判定を否定すると、ボーナスゲームの成立の有無を判定し（Ｓ８０１０）、ボーナスゲームの成立を判定すると、ミッション達成コマンドを周辺制御基板５１０に送信する（Ｓ８０１２）。周辺制御基板はミッション達成コマンドを受けると、液晶表示装置にミッション達成演出を開始する。
【手続補正６９】
【補正対象書類名】明細書
【補正対象項目名】０７０８
【補正方法】変更
【補正の内容】
【０７０８】
Ｓ８００８において、主制御基板４０９が特定配列の成立を判定すると、ＲＡＭに設定された特定配列成立数カウンタ（ｎ）を「１」インクリメントする（Ｓ８０１０：ｎの初期値は「０」）。次いで、主制御基板４０９は、フリーズ演出抽選を実行し（Ｓ８０１８）、フリーズ抽選に当選すると、タイマにフリーズ継続時間を設定する（Ｓ８０２０）。フリーズ演出抽選に当選しないと、次ゲーム処理（Ｓ８０２２）を実行する。
【手続補正７０】
【補正対象書類名】明細書
【補正対象項目名】０７１０
【補正方法】変更
【補正の内容】
【０７１０】
主制御基板４０９は、上乗せ回数が「０」である場合には、タイマアップ迄フリーズ状態を維持する（Ｓ８０３０：Ｎｏ）。フリーズ期間が終了すると（Ｓ８０３０：Ｙｅｓ）、ゲーム数カウンタ（ｍ）の値と、特定配列成立数カウンタ（ｎ）を読み込んで（Ｓ８０３２）、特定配列成立数カウンタ（ｎ）とミッション内容（Ｎ）とを比較し、ｎ≧Ｎであるか否かを判定する（Ｓ８０３４）。この判定を肯定すると、ゲーム数カウンタ（ｍ）、特定配列成立数カウンタ（ｎ）をリセットすると共に、ミッション達成コマンドを周辺制御基板５１０に送信する（Ｓ８０３６）。次いで、特別遊技状態として、既述の特典演出であるアールティ（ＲＴ）演出、及び、エーティ（ＡＴ）演出を周辺制御基板５１０に対して発動して（Ｓ８０３８）フローチャートを終了する。周辺制御基板５１０は、ミッション達成演出後、ＲＴ及びＡＴの演出のための処理を実行する。